(57)【特許請求の範囲】
【請求項１】
浴槽（２）の側面に、該側面を覆う形状のエプロン（３）を取り付ける浴槽（２）のエプロン（３）取付構造において、
上記エプロン（３）は、上下方向に分割された上側エプロン（３０）と下側エプロン（４０）とを備え、
上記上側エプロン（３０）には、凹部（３１ｃ）又は凸部が設けられ、
上記上側エプロン（３０）の裏面における凹部（３１ｃ）又は凸部に対応する部位には、上記浴槽（２）に固定されるエプロン固定具（５０）を取り付けるための取付部（３３）が一体成形され、
上記上側エプロン（３０）の周縁部には、裏面側へ突出する周壁部（３２）が形成され、該周壁部（３２）の突出高さは、下側が上側に比べて低くなるように設定され、
上記下側エプロン（４０）は、上記上側エプロン（３０）の裏側に配置され、
上記下側エプロン（４０）の上部には、上記上側エプロン（３０）の裏側において上方へ突出する突出部（４３）が形成され、
上記上側エプロン（３０）の裏面と上記下側エプロン（４０）の突出部（４３）との間、及び上記上側エプロン（３０）の裏面と上記下側エプロン（４０）の突出部（４３）よりも下側との間に、それぞれ、両エプロン（３０，４０）を接合する両面テープ（６２，６３）が介在し、
上記下側エプロン（４０）が上記両面テープ（６２，６３）により固定された上記上側エプロン（３０）のエプロン固定具（５０）が上記浴槽（２）に固定された状態で、上記エプロン（３）が浴槽（２）に取り付けられることを特徴とする浴槽（２）のエプロン（３）取付構造。
【請求項２】
請求項１に記載の浴槽（２）のエプロン（３）取付構造において、
浴槽（２）の側面の段差部（１５）に固定された受け部材（２０）に上記エプロン固定具（５０）を引っ掛けることを特徴とする浴槽（２）のエプロン（３）取付構造。
【発明の詳細な説明】
【技術分野】
【０００１】
本発明は、浴槽にその側面を覆うエプロンを取り付けるエプロン取付構造に関する。
【背景技術】
【０００２】
従来より、浴室に設置される据置式浴槽の側面には、見栄えや入浴者の安全性を考慮してエプロンが取り付けられている（例えば、特許文献１参照）。この特許文献１のエプロンは、上側エプロンと下側エプロンとで構成されている。上側エプロンは、浴槽側面の上端部近傍から下方へ向かって浴槽の上下方向中間部まで延びており、また、下側エプロンは、上側エプロンの下部に重なるように配置され、浴室の床面近傍まで延びている。浴槽の側面には、エプロンを支持するための支持具が取り付けられている。また、上側エプロンの裏面には、螺子受け具が締結部材を用いて固定されている。下側エプロンには、上側エプロンの螺子受け具に螺合する螺子の挿通孔が形成されている。また、下側エプロンの裏面には、浴槽の支持具に係止する係止具が配置されており、この係止具は上記螺子によって、下側エプロンの上部と一緒に上側エプロンの螺子受け具に締結されるようになっている。下側エプロンを上側エプロンに締結する際に、下側エプロンの位置を高さ方向について変更することで、浴槽を設置する浴室の床面高さに対応するようにエプロンの上下寸法を設定でき、浴室ごとに専用のエプロンを設定せずに済む。
【特許文献１】特許第３６６１８０９号公報
【発明の開示】
【発明が解決しようとする課題】
【０００３】
ところが、特許文献１のエプロンでは、上側エプロンに螺子受け具を締結部材を用いて固定し、さらに、この螺子受け具に、浴槽の支持具に係止する係止具を締結するようにしている。このように上側エプロンに螺子受け具を介して係止具を締結するようにすると、部品点数が多くなるとともに、締結作業が増え、ひいては、エプロンの組み付け工数が増加し、コスト高となってしまう。また、エプロンを浴槽に取り付ける作業は、浴室の工事現場で行われることが殆どであり、工事現場における作業は、工期短縮のためにできるだけ減少させたいという要求がある。
【０００４】
本発明は斯かる点に鑑みてなされたものであり、その目的とするところは、寸法調整が可能に構成された上下分割型のエプロンを浴槽の側面に取り付ける場合に、部品点数を少なくして、エプロンの組み付け工数を削減し、工期の短縮を図ることにある。
【課題を解決するための手段】
【０００５】
上記目的を達成するために、第１の発明では、浴槽（２）の側面に、該側面を覆う形状のエプロン（３）を取り付ける浴槽（２）のエプロン（３）取付構造において、上記エプロン（３）は、上下方向に分割された上側エプロン（３０）と下側エプロン（４０）とを備え、上記上側エプロン（３０）には、凹部（３１ｃ）又は凸部が設けられ、上記上側エプロン（３０）の裏面における凹部（３１ｃ）又は凸部に対応する部位には、上記浴槽（２）に固定されるエプロン固定具（５０）を取り付けるための取付部（３３）が一体成形され、上記上側エプロン（３０）の周縁部には、裏面側へ突出する周壁部（３２）が形成され、該周壁部（３２）の突出高さは、下側が上側に比べて低くなるように設定され、上記下側エプロン（４０）は、上記上側エプロン（３０）の裏側に配置され、上記下側エプロン（４０）の上部には、上記上側エプロン（３０）の裏側において上方へ突出する突出部（４３）が形成され、上記上側エプロン（３０）の裏面と上記下側エプロン（４０）の突出部（４３）との間、及び上記上側エプロン（３０）の裏面と上記下側エプロン（４０）の突出部（４３）よりも下側との間に、それぞれ、両エプロン（３０，４０）を接合する両面テープ（６２，６３）が介在し、上記下側エプロン（４０）が上記両面テープ（６２，６３）により固定された上記上側エプロン（３０）のエプロン固定具（５０）が上記浴槽（２）に固定された状態で、上記エプロン（３）が浴槽（２）に取り付けられる構成とする。
【０００６】
第２の発明では、第１の発明において、浴槽（２）の側面の段差部（１５）に固定された受け部材（２０）に上記エプロン固定具（５０）を引っ掛ける構成とする。
【発明の効果】
【０００７】
第１の発明によれば、下側エプロンの上側エプロンに対する固定位置を上下方向について変更することで、浴槽を設置する浴室の床面高さに対応するようにエプロンの上下寸法を設定できる。そして、上側エプロンに一体成形された取付部にエプロン固定具を取り付け、エプロン固定具を浴槽に固定するようにしたので、従来例のような別体の螺子受け具をエプロンに締結せずに済み、よって、エプロンを少ない部品点数で浴槽に取り付けることができ、コストを低減することができるとともに、工事現場における工期を短縮することができる。
【発明を実施するための最良の形態】
【０００８】
以下、本発明の実施形態を図面に基づいて詳細に説明する。尚、以下の好ましい実施形態の説明は、本質的に例示に過ぎず、本発明、その適用物或いはその用途を制限することを意図するものではない。
【０００９】
《発明の実施形態》
図１は、本発明の実施形態に係る浴槽のエプロン取付構造１が適用された浴槽２の断面図である。浴槽２は、樹脂材を一体成形してなる据置型のものであり、図２に示すように、所定方向に長い大略直方体状をなしている。図１に示すように、この浴槽２の一側面には、該側面を覆う形状のエプロン３が取り付けられるようになっている。浴槽２のエプロン３に覆われた側面以外の側面は、図示しないが、浴室の壁によって覆われるようになっている。浴槽２の底壁部には、下方へ突出する脚部１０が一体成形されている。この脚部１０は、浴室の床面に設置されたブロック部材Ｂの上面に載置されて固定されるようになっている。このブロック部材Ｂによって浴槽２の設置高さが変更されるようになっている。
【００１０】
浴槽２の上縁部には、略水平方向に延出して浴槽２を囲むように延びる環状の上板部１１が一体成形されている。図２にも示すように、上板部１１の外縁部には、浴槽２の下側へ向けて略鉛直に延びる側板部１２が一体成形されている。上板部１１の下面には、浴槽２の側面と連なる複数のリブ１３が下方へ突出している。これらリブ１３は、浴槽２の長手方向に間隔をあけて配置されている。リブ１３と側板部１２との間には、エプロン３の上端部が入り込む隙間が形成されている。
【００１１】
浴槽２の長手方向に延びる両側面には、上下方向の中間部に浴槽２の内方へ向けて窪む形状の一対の段差部１５、１５がそれぞれ形成されている。これら段差部１５、１５は、浴槽２内から見ると内方へ飛び出した形状となっており、入浴者の肘掛けとなるものである。浴槽２の各段差部１５には、略鉛直に下方へ突出する２つの縦板部１６、１６が、浴槽２の長手方向に間隔を開けて一体成形されている。縦板部１６、１６は、段差部１５の内部に位置するリブ形状とされていて、段差部１５よりも上側の浴槽２側面から側方へ突出しないようになっている。また、各縦板部１６には、ねじ孔１６ａが形成されている。尚、図２に示す符号１７は、排水孔である。この図２では、脚部１０を省略している。
【００１２】
各段差部１５ｂに形成されている縦板部１６には、エプロン３の上下方向中間部を受ける受け部材２０が固定されるようになっている。図３に示すように、受け部材２０は、樹脂材の一体成形品であり、各段差部１５の２つの縦板部１６、１６を挟むように位置する一対の締結板部２０ａ、２０ａと、これら締結板部２０ａ、２０ａを連結する下板部２０ｂと、下板部２０ｂからエプロン３側へ突出して上方へ屈曲する引っ掛け部２０ｃとを有している。各締結板部２０ａは、縦板部１６に沿って上下方向に延びている。締結板部２０ａには、貫通孔２０ｄが形成されている。貫通孔２０ｄは、縦板部１６のねじ孔１６ａと一致するようになっている。受け部材２０は、貫通孔２０ａに挿通した螺子５９をねじ孔１６ａに螺合させることによって浴槽２に固定されるようになっている。また、下板部２０ｂは、締結板部２０ａの下縁部同士を連結するように略水平に延びている。また、浴槽２の一側面のもう一方の縦板部１６、１６にも受け部材２０が同様に固定されるようになっている。尚、縦板部１６には、ねじ孔１６ａを設けることなく、例えば、タッピングスクリューをねじ込むようにしてもよい。
【００１３】
エプロン３は、図４に示すように、上下に分割されたパネル状の上側エプロン３０及び下側エプロン４０と、エプロン固定具５０（図５に示す）とを備えている。上側エプロン３０と下側エプロン４０の浴槽２長手方向の寸法は、略同じに設定されており、具体的には、浴槽２の長手方向の寸法と略同じ設定されている。また、上側エプロン３０と下側エプロン４０とを一体化した状態のエプロン３の上下寸法は、浴槽２が設置される浴室の床面から浴槽３の上端部近傍までの寸法とされている。
【００１４】
上側エプロン３０の上下寸法は、下側エプロン４０の上下寸法よりも長く設定され、下側エプロン４０が上側エプロン３０よりも小型となっている。上側エプロン３０は、浴槽２の側面を覆うように上下方向に延びる意匠パネル部３１と、意匠パネル部３１の周縁部から裏側へ突出する周壁部３２と、意匠パネル部３１の裏面から突出し、上記エプロン固定具５０が取り付けられる２つの取付部３３、３３とを備えている。上側エプロン３０の意匠パネル部３１の上部には、裏側へ向けて窪む上側段差部３１ａが形成されている。よって、上側エプロン３０の上部の周壁部３２の高さは、上下方向中間部に比べて低くなっている。上側エプロン３０の上部は、上側段差部３１ａに対応する部位が浴槽２の側板部１２とリブ１３との間の隙間に嵌るようになっている。
【００１５】
意匠パネル部３１の上側段差部３１ａよりも下側には、下方へ向かって浴槽２の側面から離れるように緩やかに傾斜した上側傾斜部３１ｂが形成されている。意匠パネル部３１の上下方向中間部には、裏側へ向けて窪み、かつ、意匠パネル部３１の長手方向に延びる凹条部（凹部）３１ｃが形成されている。凹条部３１ｃは、浴槽２の縦板部１６の高さ位置と略同じに高さに位置付けられている。また、凹条部３１ｃの断面形状は、湾曲している。
【００１６】
意匠パネル部３１の凹条部３１ｃよりも下側には、下方へ向かって浴槽２の側面に近づくように傾斜する下側傾斜部３１ｄが形成されている。この下側傾斜部３１ｄの傾斜角度は、上側傾斜部３１ｂの傾斜角度よりも大きく設定されている。意匠パネル部３１の下側傾斜部３１ｄよりも下側は、略鉛直に平坦に延びている。この下側傾斜部３１ｄを形成したことによって、周壁部３２の下部の高さは、下側傾斜部３１ｄよりも上側の周壁部３２の高さに比べて低くなっている。これにより、図４に示すように、上側エプロン３０を裏側から見たときに、その下部が下側傾斜部３１ｄよりも上側の部位に比べて浅くなっている。また、意匠パネル部３１に凹条部３１ｃ及び下側傾斜部３１ｄを設けることで、意匠パネル部３１の剛性を向上させることができる。
【００１７】
２つの取付部３３、３３は、意匠パネル部３１の凹条部３１ｃに対応する部位に、該意匠パネル部３１の長手方向に互いに間隔をあけて設けられている。取付部３３、３３の間隔は、浴槽２に固定された受け部材２０、２０の間隔を略同じに設定されている。図５に示すように、各取付部３３は、凹条部３１ｃの裏面から略水平に浴槽２の側面へ向けて突出する一対のボス３３ａ、３３ａと、ボス３３ａを補強するための複数のリブ３３ｂ、３３ｂ、…とで構成されている。ボス３３ａは円筒形状とされており、凹条部３１ｃの延びる方向に間隔をあけて配置されている。ボス３３ａの突出高さは、周壁部３２の上下方向中間部の高さよりも低くなっている。各ボス３３ａの内部には、エプロン固定具５０を締結するための螺子６０がねじ込まれる筒状のインサート材６１が圧入されている。リブ３３ｂは、意匠パネル部３１の裏面から突出してボス３３ａの外周面に連なっており、ボス３３ａの外周面を取り囲んで十字をなすように配置されている。リブ３３ｂの突出高さとボス３３ａの突出高さとは、同じに設定されている。このようにボス３３ａやリブ３３ｂを凹条部３１ｃに対応する部位に形成したことによって、それらを形成したことによるヒケが意匠パネル部３１の表面に現れ難くなる。
【００１８】
エプロン固定具５０は、例えば、ステンレス鋼板等の金属板材をプレス成形してなるものである。エプロン固定具５０は、ボス３３ａの突出方向先端面に沿って延びる一対の締結板部５０ａ、５０ａと、両締結板部５０ａ、５０ａからボス３３ａと反対側へ延びる一対の中間板部５０ｂ、５０ｂと、中間板部５０ｂ、５０ｂの先端部同士を連結する連結板部５０ｃとで構成されている。締結板部５０ａ、５０ａには、螺子６０が挿通する挿通孔５０ｄ、５０ｄが形成されている。この締結板部５０ａ、５０ａは、ボス３３ａ、３３ａの先端面に当接するとともに、リブ３３ｂ、３３ｂ、…の突出方向先端面にも当接するようになっている。中間板部５０ｂ、５０ｂは、締結板部５０ａ、５０ａから連結板部５０ｃに向かって互いに接近するように傾斜して延びている。また、連結板部５０ｃは、意匠パネル部３１と略平行に延びている。エプロン固定具５０は、締結板部５０ａ、５０ａの挿通孔５０ｄ、５０ｄに挿通した螺子６０、６０をボス３３ａ、３３ａのインサート材６１、６１にねじ込むことで、上側エプロン３０に固定されるようになっている。もう一方の取付部３３にもエプロン固定具５０が同様にして固定されている。
【００１９】
図４に示すように、下側エプロン４０は、浴槽２の側面下部を覆うように上下方向に延びる意匠パネル部４１と、意匠パネル部４１の周縁部から裏側へ突出する周壁部４２と、意匠パネル部４１の上縁部から上方へ突出する２つの突出部４３、４３とを備えている。意匠パネル部４１は、略平坦に形成されている。周壁部４２の突出高さは、全周に亘って略同じに設定されている。２つの突出部４３、４３は、下側エプロン４０の長手方向に間隔をあけて配置されている。突出部４３、４３の間隔は、上側エプロン３０の取付部３３、３３の間隔よりも狭く設定されており、突出部４３、４３が取付部３３、３３の間に位置するようになっている。図１にも示すように、各突出部４３の基部は、上下方向に延びている。突出部４３の基部よりも上側は、上方に行くほど浴槽２の側面から離れる方向に傾斜して延びる傾斜部４３ａで構成されている。突出部４３の傾斜部４３ａよりも上側は、上下方向に延びるように形成されており、上側エプロン３０の意匠パネル部３１の裏面に接合される接合部４３ｂとされている。
【００２０】
図１や図６に示すように、下側エプロン４０は、上側エプロン３０の裏側に配置され、意匠パネル部４１と突出部４３の接合部４３ｂとが上側エプロン３０の意匠パネル部３１の裏面に接合されて上側エプロン３０と一体化するようになっている。すなわち、図４に仮想線で示すように、上側エプロン３０の意匠パネル部３１における下部の裏面には、両面テープ６２が貼り付けられており、この両面テープ６２によって下側エプロン４０の意匠パネル部４１が上側エプロン３０の意匠パネル部３１に接着されるようになっている。さらに、下側エプロン４０の接合部４３ｂには、両面テープ６３（図１及び図６に示す）が貼り付けられており、この両面テープ６３によって接合部４３ｂが上側エプロン３０の意匠パネル部３１に接着されるようになっている。
【００２１】
上記浴槽２が設置される浴室の床面高さは様々であり、エプロン３の上下寸法は、床面高さに対応するように設定可能となっている。すなわち、床面高さが低い場合（図１に示す）には、下側エプロン４０を下方に位置付けて、下側エプロン４０の意匠パネル部４１の上側を上側エプロン３０の意匠パネル部３１に接着するとともに、接合部４３ｂを上側エプロン３０の意匠パネル部３１の凹条部３１ｃよりも下側に接着する。
【００２２】
一方、床面高さが高い場合（図６に示す）には、下側エプロン４０を上方に位置付けて、下側エプロン４０の意匠パネル部４１の下側を上側エプロン３０の意匠パネル部３１に接着するとともに、接合部４３ｂを上側エプロン３０の意匠パネル部３１の凹条部３１ｃよりも上側に接着する。さらに、床面高さが図１に示す高さと図６に示す高さとの中間である場合には、図７に示すように、下側エプロン４０の意匠パネル部４１の上下中間部を上側エプロン３０の意匠パネル部３１に接着するとともに、接合部４３ｂを意匠パネル部３１の凹条部３１ａ裏面に重ねて、凹条部３１ａよりも上側の部位と下側の部位とに接着する。下側エプロン４０を両面テープ６２、６３によって上側エプロン３０に固定するようにしているので、下側エプロン４０の位置は無段階に設定できる。また、下側エプロン４０を上下に離れた２箇所で上側エプロン３０にしっかりと固定することができるので、入浴者の足や浴室内の椅子等が下側エプロン４０に当たっても、ぐらつき難くなり、脱落を防止できる。
【００２３】
上記のようにして上側エプロン３０と下側エプロン４０と一体化した後に、図１や図６に示すように、上側エプロン３０の上側段差部３１ａを浴槽２の側板部１２の下方から、該側板部１２とリブ１３との間に嵌めるとともに、エプロン固定具５０を受け部材２０の上方から該受け部材２０の引っ掛け部２０ｃに引っ掛けて、エプロン３を浴槽２の側面に取り付ける。尚、図１や図６の右側の側面にも同様にしてエプロン３を取り付けることができる。
【００２４】
以上説明したように、この実施形態に係る浴槽のエプロン取付構造１によれば、上側エプロン３０に一体成形された取付部３３、３３にエプロン固定具５０を取り付け、エプロン固定具５０を浴槽２に固定するようにしたので、従来例のような螺子受け具をエプロン３に設けずに済む。これにより、エプロン３を少ない部品点数で浴槽２に取り付けることができ、コストを低減することができるとともに、工事現場における工期を短縮することができる。
【００２５】
また、上側エプロン３０の下側、即ち、下側エプロン４０が固定される側の周壁部３２の高さを他の部位に比べて低くしたので、下側エプロン４０を上側エプロン３０の裏面に重なるように配置した状態で、両者の間に介在する両面テープ６２の厚みを薄くすることができ、下側エプロン３０を固定するのに要する材料を少なくすることができる。
【００２６】
また、エプロン固定具５０を取り付けるための取付部３３、３３を上側エプロン３０の裏面の凹条部３１ｃに対応する部位に一体成形したので、取付部３３、３３の形成によるヒケが上側エプロン３０の表面に現れ難くなり、エプロン３の見栄えを良好にすることができる。
【００２７】
尚、下側エプロン４０の突出部４３の数は、１つであってもよいし、３つ以上であってもよい。
【００２８】
また、縦板部１６は、段差部１５よりも上側に設けてもよいし、下側に設けてもよい。また、段差部１５を省略して、縦板部１６を浴槽２の側面から突出するように設けてもよい。
【００２９】
《参考例》
図８は、参考例に係る浴槽のエプロン取付構造１を示すものである。この参考例の浴槽のエプロン取付構造１は、実施形態のものに対して、受け部材７０の形状と、受け部材７０の浴槽２に対する固定位置とが異なるだけで、他の部分は同じであるため、以下、実施形態と同じ部分には同じ符号を付して説明を省略し、異なる部分を詳細に説明する。
【００３０】
すなわち、参考例の受け部材７０は、浴槽２の段差部１５の下方に位置するように配置され、上下方向に延びるように形成されている。受け部材７０の下部は、脚部１０の側面に固定されるようになっている。受け部材７０は、その下部から浴槽２の側面に沿って上方へ延びている。受け部材７０の上部には、エプロン固定具５０を引っ掛けるための引っ掛け部７０ａが形成されている。尚、受け部材７０は、実施形態と同様に２つ設けられている。
【００３１】
また、この参考例では、下側エプロン４０に突出部４３が設けられておらず、下側エプロン４０の意匠パネル部４１のみが上側エプロン３０に接合されるようになっている。尚、下側エプロン４０には、実施形態と同様な突出部を設けてもよい。また、この参考例では、受け部材７０を脚部１０に固定するようにしているので、浴槽２の側面の形状設定の自由度が向上する。よって、浴槽２の一方の段差部１５を省略することや、全ての段差部１５を省略することも可能となる。
【００３２】
この参考例の浴槽のエプロン取付構造１によっても、実施形態のものと同様な効果を奏することができる。
【００３３】
尚、上記実施形態では、エプロン固定具５０を金属板材からなるものとしたが、これに限らず、例えば、図９に示す変形例１のように、樹脂製のエプロン固定具５１としてもよい。この場合、締結板部５１ａ、５１ａ、中間板部５１ｂ、５１ｂ及び連結板部５１ｃが一体成形されるとともに、中間板部５１ｂ、５１ｂと連結板部５１ｃとを繋ぐように補強板部５１ｄを一体成形するとともに、この補強板部５１ｄと連結板部５１ｃとに連なるリブ５１ｅを一体成形する。このエプロン固定具５１は、上側エプロン３０に対し、補強板部５１ｄが上側に位置するように取り付けられる。
【００３４】
また、上記実施形態では、受け部材２０を樹脂材からなるものとしているが、これに限らず、図１０に示す変形例２のように、金属板材からなる受け部材５２としてもよい。この受け部材５２は、貫通孔５２ｄを有する締結板部５２ａ、５２ａ、下板部５２ｂ、引っ掛け部５２ｃがプレス加工によって一体成形されている。また、受け部材２０を樹脂材からなるものとする場合に、例えば、図１１に示す変形例３のように引っ掛け部２０ｃの下部にリブ２０ｄを設けるようにしてもよい。これにより、引っ掛け部２０ｃの強度を向上させることができ、エプロン３のぐらつきを抑制できる。
【００３５】
また、上記実施形態では、上側エプロン３０を下側エプロン４０よりも大きくしているが、上側エプロン３０を下側エプロン４０よりも小型にしてもよい。
【００３６】
また、上側エプロン３０と下側エプロン４０とは、両面テープ６２、６３や接着剤の他に、面ファスナーで固定するようにしてもよい。
【００３７】
また、上記実施形態では、上側エプロン３０の取付部３３を凹条部３１ｃに対応する部位に設けるようにしたが、上側エプロン３０に表側へ突出する凸条部（凸部）を設け、この凸条部に対応する部位に取付部３３を設けるようにしてもよい。
【００３８】
また、上側エプロン３０に設ける取付部３３の数も２つに限られるものではない。
【産業上の利用可能性】
【００３９】
以上説明したように、本発明に係る浴槽のエプロン取付構造は、例えば、一般住宅の浴室に設置される据置型の浴槽に適している。
【図面の簡単な説明】
【００４０】
【図１】実施形態に係る浴槽の断面図であり、浴室の床面が低い場合を示すものである。
【図２】エプロンが取り付けられていない浴槽を斜め下方から見た斜視図である。
【図３】斜め下方から見た浴槽の段差部近傍の拡大図である。
【図４】上側エプロンと下側エプロンとを分離した状態を裏側から見た分割斜視図である。
【図５】裏側から見た上側エプロンの取付部近傍の拡大図である。
【図６】浴室の床面が高い場合の図１相当図である。
【図７】浴室の床面が中間位置にある場合のエプロン下部の断面図である。
【図８】参考例に係る図１相当図である。
【図９】変形例１に係るエプロン固定具を斜め下方から見た斜視図である。
【図１０】変形例２に係る受け部材を斜め上方から見た斜視図である。
【図１１】変形例３に係る受け部材を斜め上方から見た斜視図である。
【符号の説明】
【００４１】
１            エプロン取付構造
２            浴槽
３            エプロン
３０          上側エプロン
３１ｃ        凹条部
３２          周壁部
４０          下側エプロン
６２          両面テープ
【図１】
0005469300.tif 000002
【図２】
0005469300.tif 000003
【図３】
0005469300.tif 000004
【図４】
0005469300.tif 000005
【図５】
0005469300.tif 000006
【図６】
0005469300.tif 000007
【図７】
0005469300.tif 000008
【図８】
0005469300.tif 000009
【図９】
0005469300.tif 000010
【図１０】
0005469300.tif 000011
【図１１】
0005469300.tif 000012